(57)【特許請求の範囲】
【請求項１】
建物の縦枠２の凹所３に嵌め込まれるトロヨケ１と、このトロヨケの左右の側壁６ａ、６ｂに対して摺接移動することができるように該トロヨケに嵌め込まれ、かつ、左右の開口端縁に第１・第２の係合突片１３、１４がそれぞれ外方向に設けられていると共に、底壁１２ｅに長孔１６を有するスライドボックス１０と、このスライドボックスの前記底壁１２ｅ及びトロヨケの底壁６ｅに介在し、かつ、中央部にドライバー用係合部３２及び前記底壁１２ｅに設けられた係合突起１７が係合する扁心カム溝３１をそれぞれ有するスライドボックス用駆動カム３０と、前記凹所３内に組み込まれたトロヨケをカバーするように縦枠に固着される取付けカバー２０とを備えるドアーラッチの受け金具であって、前記第１の係合突片１３は、取付けカバー２０の中央部開口２１を形成する係合縁部２２を挟着状態で摺接係合する３個に分割された係合爪片であり、また、これらの係合爪片の構成は、前記係合縁部２２の中央部に陥没状に形成した案内溝２３の上面に乗っかるように係合する中央の係合爪片１３ｂと、前記中央部の両側部の内壁面側にそれぞれ差し込まれた状態で係合する上下の係合爪片１３ａ、１３ｃとから成り、これによりスライドボックス１０は取付けカバー２０に一体的に組み合わされていることを特徴とするドアーラッチの受け金具。
【請求項２】
請求項１に於いて、駆動カム３０Ａの上面中央部に、ドライバーの先端部が係合する係合部３２Ａを有する突起軸３５を設け、この突起軸３５をスライドボックス１０Ａの長孔１６Ａに嵌合させたことを特徴とするドアーラッチの受け金具。
【請求項３】
請求項１に於いて、トロヨケ１Ｂのケース部６Ｂの底壁６ｅに嵌合孔４０を形成し、駆動カム３０Ｂをこの嵌合孔４０に嵌合させたことを特徴とするドアーラッチの受け金具。
【発明の詳細な説明】
【０００１】
【発明の属する技術分野】
本発明は、ドア側のデッドボルト、ラッチボルト（ここでは総称して「ドアーラッチ」と言う。）と係合する縦枠側のドアーラッチの受け金具に関する。
【０００２】
【従来の技術】
従来、この種の受け金具の一例は、実公平６−４９７８０号公報に記載されている。この公報記載の実施例は、基本的には建物の縦枠の凹所に嵌め込まれるトロヨケ（受けケース）と、このトロヨケの左右の側壁に対して移動することができるように該トロヨケに嵌め込まれ、かつ、開口端縁に係合突片が外方向に設けられていると共に底壁に嵌合孔を有するスライドボックスと、このスライドボックスの前記底壁及びトロヨケの底壁の間に介在し、かつ、一側上面に前記嵌合孔に嵌合する偏心突起を有するスライドボックス用移動円盤と、前記凹所内に組み込まれたトロヨケをカバーするように縦枠に固着される取付けカバーとから成る。
【０００３】
上記構成に於いては、構成する部品点数が少ないと言う利点があるものの、スライドボックスをトロヨケの左右の側壁に対して移動させる場合には、ドライバーの先端部を移動円盤の偏心突起に形成された係合溝に差し込み、ドライバーを回すようにしながら、かつ、移動円盤がある軌跡を描くように該ドライバーを移動させ、これによりスライドボックスの左右動の調整をしなければならなかった。
【０００４】
したがって、ドライバーを慎重に操作する必要があると共に、スライドボックスの微調整が容易でないと言う問題点があった。
【０００５】
また上記構成に於いては、バネ部材を構成要件とする他の実施例よりも各部材の組合わせが容易であると言う利点を有するものの、例えば予めトロヨケを縦枠の窪み内に嵌め込んだ後、該トロヨケのケース部内の底面に移動円盤を挿入し、次にスライドボックスの嵌合孔に移動円盤の偏心突起を合わせようとする場合は、円盤はスライドボックスの下方に自重により落下するので、事実上両方の組合わせが困難である。
【０００６】
そこで、実際はトロヨケを縦枠の窪み内に嵌め込む前に各部材（トロヨケ、移動円盤、スライドボックス）を横設状態にして適当に組合わせ、組合わせた状態で縦枠の窪み内に嵌め込む必要がある。この場合最終的に取付けカバーを縦枠に固着し、これによりトロヨケを縦枠の窪み内に固定する訳であるが、この時前記各部材を組合わせた状態に於いてスライドボックスへの押さえが十分でなく、仮に窪み内に嵌め込んだトロヨケに対してスライドボックスが窪みの前方方向に動くと、移動円盤がスライドボックスの嵌合孔からスッポリ外れると言う問題点があった。したがって、現在、このような不便から各部材の組合わせについて合理的な工夫が要望されている。
【０００７】
【発明が解決しようとする課題】
本発明は以上のような従来の問題点に鑑み、第１の目的は、部品点数を少なくするという従来の一実施例の利点を生かしつつ、ドライバーの操作性を向上させ、これによりスライドボックスの微調整を容易に行うことができることである。第２の目的は、構成する各部材を効率的に組合わせることができることである。第３の目的は、スライドボックスの微調整の際に、スライドボックスが上下方向に揺れないことである。第４の目的は、特に駆動カムを容易にトロヨケ内に組み込むことができることである。
【０００８】
【課題を解決するための手段】
本発明のドアーラッチの受け金具は、建物の縦枠２の凹所３に嵌め込まれるトロヨケ１と、このトロヨケの左右の側壁６ａ、６ｂに対して移動することができるように該トロヨケに嵌め込まれ、かつ、左右の開口端縁に第１・第２の係合突片１３、１４がそれぞれ外方向に設けられていると共に、底壁１２ｅに長孔１６を有するスライドボックス１０と、このスライドボックスの前記底壁１２ｅ及びトロヨケの底壁６ｅに介在し、かつ、中央部にドライバー用係合部３２及び前記底壁１２ｅに設けられた係合突起１７が係合する扁心カム溝３１をそれぞれ有するスライドボックス用駆動カム３０と、前記凹所３内に組み込まれたトロヨケをカバーするように縦枠に固着される取付けカバー２０とを備えるドアーラッチの受け金具であること。
【０００９】
そして、上記構成の第１の係合突片１３は、取付けカバー２０の中央部開口２１を形成する係合縁部２２を挟着状態で摺接係合する３個に分割された係合爪片であり、また、これらの係合爪片の構成は、前記係合縁部２２の中央部に陥没状に形成した案内溝２３の上面に乗っかるように係合する中央の係合爪片１３ｂと、前記中央部の両側部の内壁面側にそれぞれ差し込まれた状態で係合する上下の係合爪片１３ａ、１３ｃとから成り、これによりスライドボックス１０は取付けカバー２０に一体的に組み合わされていることを特徴とする。
【００１０】
また上記構成に於いて、駆動カム３０Ａの上面中央部に、ドライバーの先端部が係合する係合部３２Ａを有する突起軸３５を設け、この突起軸３５をスライドボックス１０Ａの長孔１６Ａに嵌合させたことを特徴とする。
【００１１】
さらに、上記構成に於いて、トロヨケ１Ｂのケース部６Ｂの底壁６ｅに嵌合孔４０を形成し、駆動カム３０Ｂをこの嵌合孔４０に嵌合させたことを特徴とする。
【００１２】
【発明の実施の形態】
以下、図面に示す本発明の実施の形態を、ドア側のドアーラッチ（デッドボルト、ラッチボルト）５０との関係で、建物の縦枠２の凹所３に取付けた場合で説明する。
【００１３】
まず１は建物（特にドア用）の縦枠２に形成された凹所３に嵌め込まれるトロヨケである。このトロヨケ１は固着手段４を介して直接又は後述する取付けカバーを介して前記凹所内に固定される。またこのトロヨケ１の表面は方形状に開口５し、この開口５から内方に凹所を形成するケース部６の上下開口縁部には、１対の取付突片７、７がそれぞれ設けられている。なお、これらの取付突片７、７は前記凹所３に連通する縦枠２の表面切欠部に入り込み、縦枠２の表面と面一状態に成る。
【００１４】
ここで図１を基準にトロヨケ１のケース部６を説明すると、６ａが左側壁、６ｂが右側壁、６ｃが上壁、６ｄが下壁、そして、６ｅが底壁である。底壁６ｅは前記凹所３内の底壁内面に当接する。
【００１５】
次に１０はトロヨケ１の左右の側壁６ａ、６ｂに対してスライド移動することができるように該トロヨケ１に嵌め込まれるスライドボックスである。このスライドボックス１０は、トロヨケ１の開口５よりも多少小さい方形開口１１を有するケース状のラッチ収容部１２と、このラッチ収容部１２の開口縁から左右にそれぞれ延びる複数個の係合突片１３、１４とから構成されている。
【００１６】
しかして、図１を基準にトロヨケ１に遊嵌合する前記ラッチ収容部１２を説明すると、１２ａはトロヨケ１の左側壁６ａと対向する左側壁、一方、１２ｂはトロヨケ１の右側壁６ｂと対向する右側壁、そして、１２ｃは上壁、１２ｄは下壁、１２ｅは底壁である。トロヨケ１にスライドボックス１０を組み込むと、前記底壁１２ｅとトロヨケ１の底壁６ｅとの間には所要の空間が形成され、この所要の空間内に後述する駆動カムが摺動可能に介在する。
【００１７】
ところで、前記係合突片１３、１４はスライドボックス１０のガタツキ防止機能を有する点で共通であるが、左側壁１２ａの端縁から連なって左（外）方向へ突出する第１の係合突片１３は、特に調整の際の上下方向の揺れを防止するため、またトロヨケ１に対するスライドボックス１０の取付けの利便性のために３個に分割されている。そして、これらの分割された３個の係合爪片１３ａ、１３ｂ、１３ｃは、取付けカバー２０の方形状中央部開口２１を形成する係合縁部２２を互いに挟み込んだ（挾着）状態で摺接する。一方、右側壁１２ｂの端縁から連なって右方向へ突出する第２の係合突片１４は単なる１枚の長板状に形成されている。そして、この係合突片１４は、図４で示すようにトロヨケ１の右側壁６ｂの端縁並びに縦枠２の凹所の表面開口側と取付けカバー２０の内壁面との間に形成された間隙部１５に入り込む状態となる。したがって、係合突片１４は取付けカバー２０の内壁面とトロヨケ１の右側壁６ｂの端縁を摺接する。
【００１８】
なお、前記係合爪片１３ａ、１３ｂ、１３ｃは取付けカバー２０の開口縁部２２に案内されるように工夫し、本実施例では、例えば開口縁部２２を陥没状の案内溝２３とし、この案内溝２３に中央の係合爪片１３ｂを係合させている。
【００１９】
また前記ラッチ収容部１２の底壁１２ｅの中央部には、幅方向にドライバー挿入用の透孔１６の一例である長孔が形成されていると共に、この透孔１６寄り、あるいは透孔から離れた適当な部位で、かつ、底壁１２ｅの外壁面（トロヨケ１の底壁６ｅと対向する面）には、係合突起１７が１個設けられている。
【００２０】
３０はスライドボックス１０の底壁１２ｅとトロヨケ１の底壁６ｅとの間に介在し、かつ、スライドボックス１０の前記係合突起１７と係合する扁心カム溝３１を有する駆動カムである。この駆動カム３０は円盤状に形成され、略中央部にはドライバー５１の先端部が係合する係合部（係合溝、係合孔）３２が形成されている。
【００２１】
しかして、前記扁心カム溝３１は、弧状或いは半円形の偏心溝でも良いが、各部材の組み合わせの利便性を考慮し、本実施例では偏心円状の溝を採用している。
【００２２】
上記構成に於いて、各部材１、３０、１０、２０の組み合わせ順序について説明する。まずトロヨケ１を建物の縦枠２の凹所３に嵌め込む。次に取付けカバー２０の係合縁部２２に、スライドボックス１０の第１の係合突片１３を係合させる。この時、スライドボックス１０が第１の係合突片１３を介して取付けカバー２０に挾着するように、取付けカバー２０の案内溝２３の上面にその１つ（中間）の係合爪片１３ｂを差込み係合させ、かつ、他（上下）の係合爪片１３ａ、１３ｃを取付けカバー２０の内壁面側に差し込む。これによりスライドボックス１０は取付けカバー２０に一体的に組合わされる。
【００２３】
次にスライドボックス１０のラッチ収容部１２をトロヨケ１に嵌め込む前に、スライドボックス１０の係合突起１７に偏心カム溝３１を介して駆動カム３０をぶら下げる。この場合駆動カム３０は自重により多少なりとも回転するので、駆動カム３０の位置がトロヨケ１の開口５と一致しなくなる。そこで、適当に指で駆動カム３０を回しながらトロヨケ１の開口５に合わせ、一致した所でスライドボックス１０のラッチ収容部１２をトロヨケ１に嵌め込む。そうすると、トロヨケ１の上下の取付け突片７が縦枠２の凹所３と連通する表面切欠部に面一状態にフイットする。そこで、固着手段４を介して取付けカバー２０並びにトロヨケ１を縦枠２に固着する。
【００２４】
また上記構成に於いて、ドアーラッチ５０との良好な係合状態を得るために、スライドボックス１０をトロヨケの左右の側壁６ａ、６ｂに対して移動調整する場合には、取付けカバー２０の中央部開口２１からスライドボックス１０の透孔１６へとドライバー５１を差込み、ドライバーの先端部を駆動カム３０の係合部３２に係合させる。そして、駆動カム３０の係合部３２を中心に、例えばドライバー５１を時計方向に回転させると、駆動カム３０はその位置でドライバー５１と同方向に回転する。そうすると、スライドボックス１０の係合突起１７と駆動カム３０の偏心カム溝３１との摺接関係により、スライドボックス１０は、図８で示すようにトロヨケの右の側壁６ｂへと摺動する。この時スライドボックス１０は、その第１の係合突片１３並びに取付けカバー２０の案内溝２３を介し、安定的（上下に揺れることなく）に移動する。また透孔１６は長孔なので、ドライバー５１がそのままでもスライドボックス１０の移動の障害にならない。
【００２５】
【実施例】
第１実施例に於いて、駆動カム３０をトロヨケ１に容易に組み込むことができるように、例えばトロヨケ１のケース部６の底壁６ｅの内面に駆動カム３０を支持する１又は２以上の駆動カム用支持突起を設けても良い。
【００２６】
以下、この欄では本発明の他の実施例について説明する。なお、他の実施例の説明に当たって前記本発明の第１実施例と同一の構成部分には同一の符号を付し、重複する説明を省略する。
【００２７】
まず図９及び図１０は第２実施例を示すドアーラッチの受け金具である。この第２実施例の特徴は、駆動カム３０Ａの上面（表面）中央部に、ドライバーの先端部が係合する係合部３２Ａを有する突起軸３５を設け、この突起軸３５をスライドボックス１０Ａの長孔１６Ａに嵌合させた点である。
【００２８】
このように構成すると、トロヨケ１Ａに駆動カム３０Ａを組込む際に、予め駆動カム３０Ａをスライドボックス１０Ａのラッチ収容部１２の底壁１２ｅに付着するように取付け、駆動カム３０Ａと、ライドボックス１０Ａと、取付けカバー２０Ａを一緒にまとめてトロヨケ１Ａに組込むことができる。
【００２９】
すなわち、駆動カム３０Ａをスライドボックス１０Ａのラッチ収容部１２の底壁１２ｅに付着させると、駆動カム３０Ａの突起軸３５はスライドボックス１０Ａの長孔１６Ａに嵌合し、一方、スライドボックス１０Ａの係合突起１７は駆動カム３０Ａの偏心カム溝３１に入り込むので、駆動カム３０Ａは２点で支持される格好に成る。したがって、駆動カム３０Ａはスライドボックス１０Ａから容易に落下せず、各部材を合理的に組合わせることができる。
【００３０】
次に図１１及び図１２は第３実施例を示すドアーラッチの受け金具である。この第３実施例の特徴は、トロヨケ１Ｂのケース部６Ｂの底壁６ｅに大径の嵌合孔４０を形成し、駆動カム３０Ｂをこの嵌合孔４０に嵌合させた点である。この場合前記ケース部６Ｂの底壁６ｅに駆動カム３０Ｂ用嵌合凹所を形成しても同様である。
【００３１】
このように構成すると、各部材の組合わせの際、まずトロヨケ１Ｂを縦枠２の凹所３に嵌め込み、次に駆動カム３０Ｂをトロヨケ１Ｂの嵌合孔４０に嵌合させる。この場合駆動カム３０Ｂの外径（直径）は、嵌合孔４０の孔の径を適当に考慮して設計されているので、駆動カム３０Ｂの外周壁はトロヨケ１Ｂの嵌合孔４０を形成する内周壁４１に当接し、トロヨケ１Ｂの底壁６ｅから容易に落下しない。
【００３２】
そこで、取付けカバー２０Ｂの係合縁部２２に、スライドボックス１０Ｂの第１の係合突片１３を係合させ、取付けカバー２０Ｂを持ちながらスライドボックス１０Ｂをトロヨケ１Ｂのケース部６Ｂに嵌め込む。したがって、このように構成しても各部材を合理的に組合わせすることができると言う利点がある。
【００３３】
【発明の効果】
以上の説明から明らかなように、本発明にあっては次に列挙するような効果がある。
（１）中央部にドライバー用係合部が設けられ、かつ、上面にスライドボックスの底壁の係合突起と係合する扁心カム溝が設けられたスライドボックス用駆動カムを用いているので、ドライバーの操作性を向上させ、これによりスライドボックスの微調整を容易に行うことができる。
（２）特に、本発明は、構成する各部材を効率的に組合わせることができると共に、スライドボックスの微調整の際に、スライドボックスが上下方向に揺れないと共に、取付けカバー２０がスライドボックスから簡単に外れない。
（３）請求項２及び請求項３に記載の発明は、駆動カムをトロヨケ内に組み込む際に、駆動カムがスライドボックス又はトロヨケから容易に外れない。したがって、各部材をトロヨケ内に合理的に組合わせることができる。
【図面の簡単な説明】
図１ないし図８は本発明の第１実施例を示す各説明図。図９及び図１０は本発明の第２実施例を示す各説明図、図１１及び図１２は本発明の第３実施例を示す各説明図である。
【図１】第１実施例の分解斜視図。
【図２】使用状態の正面からの説明図。
【図３】図２の３−３線拡大断面図。
【図４】図２の４−４線拡大断面図。
【図５】要部（駆動カム、トロヨケ）の分解斜視図。
【図６】要部（取付けカバー、スライドボックス）の分解斜視図。
【図７】主要部の正面からの説明図。
【図８】図７を基準にし、ドライバーでスライドボックスを移動させた説明図。
【図９】第２実施例の分解斜視図。
【図１０】要部の説明図。
【図１１】第３実施例の分解斜視図。
【図１２】要部の説明図。
【符号の説明】
１、１Ａ、１Ｂ…トロヨケ、２…縦枠、３…凹所、４…固着手段、５…開口、６、６Ｂ…ケース部、７…取付け突片、１０、１０Ａ、１０Ｂ…スライドボックス、１２…ラッチ収容部、６ｅ、１２ｅ…底壁、１３、１４…係合突片、１３ａ、１３ｂ、１３ｃ…係合爪片、１６、１６Ａ…透孔、１７…係合突起、、２０、２０Ａ、２０Ｂ…取付けカバー、２１…中央部開口、２２…縁部、２３…案内溝、３０、３０Ａ、３０Ｂ…駆動カム、３１…偏心カム溝、３２、３２Ａ…係合部、３５…突起軸、４０…嵌合孔、４１…内周壁、５０…ドアーラッチ、５１…ドライバー。
【図１】
0004014251.tif 000002
【図２】
0004014251.tif 000003
【図３】
0004014251.tif 000004
【図４】
0004014251.tif 000005
【図５】
0004014251.tif 000006
【図６】
0004014251.tif 000007
【図７】
0004014251.tif 000008
【図８】
0004014251.tif 000009
【図９】
0004014251.tif 000010
【図１０】
0004014251.tif 000011
【図１１】
0004014251.tif 000012
【図１２】
0004014251.tif 000013